(57)【要約】レセプタクルは、本体、それから延びるプラグ接続部、及びハウジング内に１列に整列状態に配置された接点を強制するためにその中に形成された軸支区域を有する接点支持部材を有するレセプタクルハウジングを具備する。レセプタクルは、さらにその中に形成された片持ち梁式のビームを有するシールディングシェルを具備する。このシールディングシェルは、それから延び、前記ハウジングから延びるラッチアームと接触するための突出部を有する。シールディングガスケットは、前記シールディングシェルの周囲に配置され、それから延びる重なった列のビームを有する。前記シールディングガスケットは、又、それから延びる、ラッチアームに形成された溝内に配置される突出部を有する。このラッチアームは、ラッチバー、２つのラッチアーム、及び接地接触のための少なくとも１つの突出部を有するラッチプレートの部分として形成される。
2005527959.tif 000002
【特許請求の範囲】
【請求項１】
ハウジングであって、このハウジングは、本体と、この本体から突出するプラグを受けるためのプラグ接続部と、この本体から突出しその本体によって前記プラグから分離された部材とを有し、この部材はそれに形成される少なくとも第１軸支区域及び第２軸支区域を有するハウジングと、少なくとも第１信号接点及び第２信号接点とを有してなり、前記第１及び第２信号接点のそれぞれの第１部分は、前記ハウジング本体を介して延びるとともに前記プラグ接続部に露出され、前記第１及び第２信号接点の第２部分は、前記第１及び第２信号接点の第３部分がほぼ整列される前記第１及び第２軸支区域と当接するレセプタクル。
【請求項２】
前記部材は、その中に形成される複数のスロットを有し、前記第１軸支区域及び第２軸支区域は、前記複数のスロットの１つ内にそれぞれ形成される前記請求項１記載のレセプタクル。
【請求項３】
前記軸支区域は、先鋭な角度を形成する前記請求項１記載のレセプタクル。
【請求項４】
前記第１及び第２の信号接点の部分は、垂直方向及び水平方向にほぼ整列される前記請求項１記載のレセプタクル。
【請求項５】
前記第１信号接点及び第２信号接点は、それぞれ前記プラグ接続部に延びる部分と、前記ハウジングの下方に延びる尾部と、それらの間に形成される部材であってその部材は前記軸支区域の１つと接触する部材とを有する前記請求項１記載のレセプタクル。
【請求項６】
前記第１信号接点及び第２信号接点の前記尾部は、整列されている前記請求項５記載のレセプタクル。
【請求項７】
前記信号接点の前記第３部分は、水平方向及び垂直方向に整列されている前記請求項１記載のレセプタクル。
【請求項８】
ハウジングであって、このハウジングは、本体と、この本体から突出するプラグを受けるためのプラグ接続部とを有するハウジングと、前記レセプタクル及びプラグ間に電気的接続を与えるためにプラグ接続部に配置されたシールディングシェルであって、このシールディングシェルは金属材料からなり、その中に複数の突出部を形成されたシールディングシェルとを有してなり、前記複数の突出部のそれぞれの少なくとも一部分は、その部分の長さを横切って高さを増大するレセプタクル。
【請求項９】
前記突出部は、片持ち梁のビームの形状を有する前記請求項８記載のレセプタクル。
【請求項１０】
前記レセプタクルは、さらに第２の複数の突出部を有し、この複数の突出部のそれぞれは、その突出部を横切ってほぼ一定の高さを有する前記請求項８記載のレセプタクル。
【請求項１１】
前記第２の複数の突出部のそれぞれは、こぶの形状を有する前記請求項１０記載のレセプタクル。
【請求項１２】
さらに前記ハウジングから延びる少なくとも１つのラッチ部材を有してなり、前記シールディングシェルはさらにそれから延びる突出部を有し、前記ラッチ部材と接触する前記請求項８記載のレセプタクル。
【請求項１３】
前記少なくとも１つのラッチ部材は、電気的通路を形成して接地するための突出部をそれに取付けた前記請求項１２記載のレセプタクル。
【請求項１４】
ハウジングであって、このハウジングは、本体と、前記本体から突出するプラグを受けるためのプラグ接続部とを有するハウジングと、前記ハウジングから延びる少なくとも１つのラッチアームであって、このラッチアームはプラグ組立の対応する部材と組合うためのラッチアームと、前記レセプタクル及びプラグ組立間に電気的接続を与えるためにプラグ接続部に配置されたシールディングシェルであって、このシールディングシェルは金属材料からなり、それから延びる突出部を有し、この突出部は前記シールディングシェル及び前記少なくとも１つのラッチアーム間に電気的通路を提供するように前記少なくとも１つのラッチアームと接触するシールディングシェルとを有するレセプタクル。
【請求項１５】
前記少なくとも１つのラッチ部材は、電気的通路を形成して接地するための突出部をそれに取付けている前記請求項１４記載のレセプタクル。
【請求項１６】
前記シールディングシェルは、プラグ組立の対応する突出部と接続するためにその中に複数の突出部を形成し、前記それぞれの複数の突出部は、前記部分の長さを横切って高さを増大する部分を有する前記請求項１４記載のレセプタクル。
【請求項１７】
前記突出部は、片持ち梁のビームの形状を有する前記請求項１５記載のレセプタクル。
【請求項１８】
ハウジングであって、このハウジングは、本体と、この本体から突出するプラグを受けるためのプラグ接続部とを有するハウジングと、前記ハウジングに配置され、かつ前記プラグ接続部の回りに形成された電気シールディングガスケットであって、この電気シールディングガスケットは、金属フレームと、金属ビームから延び、その間に形成されるフレームの部分を有して前記金属フレームに沿って直線的に配置される第１の複数の金属ビームと、前記金属ビームから延び、前記金属フレームに沿って直線的に配置される第２の複数の金属ビームとを有し、前記第２の複数の金属ビームは、前記第１の複数のビーム間のフレームの部分を橋渡しし、かつ前記第１の複数の金属ビームと重なる電気シールディングガスケットとを有するレセプタクル。
【請求項１９】
前記金属ビームは弧形に形成される前記請求項１８記載のレセプタクル。
【請求項２０】
さらに前記ハウジングから延び、かつその中に形成された凹所を有する少なくとも１つのラッチ部材を有し、前記電気シールディングガスケットはさらに、前記ガスケットから延び、かつ、前記電気シールディングガスケットの移動を制限するように前記凹所に配置される前記請求項１８記載のレセプタクル。
【請求項２１】
前記凹所は、長さを有する通路であり、前記ガスケットは、前記長さに沿って前記ラッチ部材に関して自由に移動する前記請求項２０記載のレセプタクル。
【請求項２２】
ハウジングであって、このハウジングは、本体と、前記ハウジングから突出するプラグを受けるプラグ接続部とを有するハウジングと、前記ハウジングに配置され、かつ前記プラグ接続部の回りに形成された電気シールディングガスケットであって、この電気シールディングガスケットは、金属フレームと、前記金属フレームから延び、かつその間の前記フレームの部分と直線的に配置される少なくとも第１金属ビーム及び第２金属ビームと、前記金属フレームから延び、かつ前記第１及び第２金属ビームに関してずれている少なくとも第３金属ビームであって、この第３金属ビームは第１及び第２金属ビームと重なる第３金属ビームとを有する電気シールディングガスケットとを有するレセプタクル。
【請求項２３】
ハウジングと、前記ハウジングから延びる少なくとも１つのラッチアームであって、このラッチアームは、プラグ組立の対応部材と組合うためのものであり、その少なくとも１つのラッチアームは、その中に形成された凹所を有するものと、前記ハウジングに配置された電気シールディングガスケットであって、それから延びる部材を有するものとを有してなり、前記部材は前記凹所に配置されるとともに前記電気シールディングガスケットの移動を制限するレセプタクル。
【請求項２４】
前記凹所は、長さを有する通路であり、前記部材は、その通路の長さに沿って自由に移動する前記請求項２３記載のレセプタクル。
【請求項２５】
前記電気シールディングガスケットは、さらに金属フレームと、前記金属フレームから延び、かつその間に前記フレームの一部分と直線的に配置された少なくとも第１金属ビーム及び第２ビームと、前記金属フレームから延び、かつ前記第１及び第２金属ビームに関してずれている少なくとも第３金属ビームであって、前記第１及び第２金属ビームと重なるものとを有する前記請求項２３記載のレセプタクル。
【請求項２６】
ハウジングと、ラッチプレートとからなり、前記ラッチプレートは、前記ハウジングに沿って延びるラッチバーと、前記ラッチバーと一体に形成され、前記ハウジングを介して延びる少なくとも第１ラッチ部材及び第２ラッチ部材であって、前記ラッチ部材はプラグの対応する部材と組合うためのものと、前記ラッチプレートを装置に接続するために前記ラッチプレートを一体に形成した少なくとも１つの突出部とを有するレセプタクル。
【請求項２７】
少なくとも1つの突出部が、接地側に接続するために形成される前記請求項２６記載のレセプタクル。
【請求項２８】
さらにそれから延びる部材を有する電気シールディングガスケットを具備し、前記第１ラッチ部材及び第２ラッチ部材の少なくとも１つは、前記部材を受けるためにそれに形成された凹所を有する前記請求項２６記載のレセプタクル。
【請求項２９】
前記凹所は、長さを有する通路であり、前記部材は、前記通路の長さに沿って自由に移動できる前記請求項２８記載のレセプタクル。
【請求項３０】
少なくも１つの接地側を有する回路基板と、ハウジングと、前記ハウジングに沿って延びるラッチバー、前記ラッチバーと一体に形成され前記ハウジングを介して延び、プラグにおける対応する部材と組合うための少なくとも第１ラッチ部材及び第２ラッチ部材、前記ラッチプレートと一体に形成され少なくとも１つの接地側に接続するための少なくとも第１突出部及び第２突出部を有するラッチプレートとを具備するレセプタクルシステム。
【請求項３１】
さらにそれから延びる部材を有する電気シールディングガスケットを有し、前記第１ラッチ部材及び前記第２ラッチ部材の少なくとも一方が前記部材を受けるためにその中に形成される凹所を有する前記請求項３０記載のレセプタクル。
【請求項３２】
前記凹所は、長さを有する通路であり、前記部材は、その通路の長さに沿って自由に移動する前記請求項３１記載のレセプタクル。
【請求項３３】
導電性ケーシングを有するプラグと、ハウジングであって本体と前記本体から突出するプラグを受けるためのプラグ接続部とを有するハウジングを具備するレセプタクルと、前記レセプタクル及びプラグ間に電気接続を提供するためにプラグ接続部に配置され、金属材料から形成されその中に複数の突出部を形成し、前記複数の突出部のそれぞれの少なくとも一部がその一部の長さを横切って高さを増加し、前記導電性ケーシングと接触するシールディングシェルとを具備し、継続的な電気通路が前記ケーシングとレセプタクルとの間に形成されるシステム。
【請求項３４】
さらに、接地側を有する回路基板を具備し、前記レセプタクルは、さらに前記ハウジングを介して延びる少なくとも１つのラッチ部材と、ラッチ部材と一体に形成され、前記接地側と接触する少なくとも１つの突出部を有してなり、前記シールディングシェルは、前記少なくとも１つのラッチ部材を有し、それによって前記シールディングシェル及びラッチ部材を介して前記接地側に対する前記ケーシングから継続する電気通路を形成する前記請求項３３記載のシステム。
【請求項３５】
単一の接地電位が前記プラグから前記レセプタクルまで維持される前記請求項３４記載のシステム。
【請求項３６】
さらに、前記ハウジングに配置され前記プラグ接続部の周囲に形成された電気シールディングガスケットを有してなり、この電気シールディングガスケットは、金属フレームと、この金属フレームから延び、その間に形成された前記フレームの部分を有する前記金属フレームに沿って直線的に配置された第１の複数の金属ビームと、前記金属フレームから延び、前記金属フレームに沿って直線的に配置された第２の複数の金属ビームとを有し、前記第２の複数の金属ビームが前記第１の複数のビーム間の前記フレームの部分を橋渡しし、かつ前記第１の複数の金属金属ビームと重なってなり、前記シールディングガスケットは、前記プラグが前記レセプタクルに取付けられるときに、前記プラグと前記レセプタクルとの間に間隙を重ねる前記請求項３４記載のシステム。
【請求項３７】
前記ガスケットは、さらに、前記少なくとも１つのラッチ部材に形成された凹所内に延びる突出部を有する前記請求項３６記載のシステム。
【請求項３８】
前方側及び後方側を有するハウジングと、前記ハウジングの前記後方側に沿って延びる接地バー及び前記接地プレートを装置に接続するために前記接地プレートと一体に形成され、それによって前記突出部が前記接地バーに関して前記ハウジングの前方側に対してずれている少なくとも１つの突出部を有する接地プレートとを具備するレセプタクル。
【請求項３９】
前記接地プレート及び前記少なくとも１つの突出部は、導電性である前記請求項３８記載のレセプタクル。
【請求項４０】
前記少なくとも１つの突出部は、少なくとも２つの突出部を有する前記請求項３８記載のレセプタクル。
【請求項４１】
前記接地バーは、その中に部材を受けるために形成された少なくとも１つの凹所を有する前記請求項３８記載のレセプタクル。
【請求項４２】
前記少なくとも１つの凹所は、前記部材における対応する溝と締まり嵌めを形成するために、その中に形成されたらせん状溝を有する前記請求項４１記載のレセプタクル。
【請求項４３】
前記少なくとも１つの凹所は、前記接地バーに対称的に形成された少なくとも２つの凹所を有する前記請求項４１記載のレセプタクル。
【請求項４４】
前記部材は、前記ハウジング内の凹所を介して前記接地バーに形成された凹所内に延びる前記請求項４１記載のレセプタクル。
【請求項４５】
ハウジングと、前記ハウジングの外部側に沿って延びる接地バーを有する接地プレートと、前記接地プレートを装置に接続するために前記接地プレートと一体に形成され、その少なくとも１つの突出部は、前記接地バーに関して前記ハウジングの中央に対してずれている少なくとも１つの突出部を有するレセプタクル。
【請求項４６】
前記接地バーは、その中に形成された少なくとも１つの凹所を有し、さらに前記レセプタクルは、前記少なくとも１つの凹所内に延び、その中に前記接地バーと締まり嵌めを形成する前記請求項４５記載のレセプタクル。
【請求項４７】
前記ハウジングは、その中に形成された凹所を有し、前記部材は、前記凹所を介して前記接地バーに形成された凹所内に延びる前記請求項４６記載のレセプタクル。
【請求項４８】
さらに電気シールドを有し、この電気シールドは、その中に形成された凹所を有し、前記部材は、その凹所を介して前記電気シールドに延びる前記請求項４７記載のレセプタクル。
【請求項４９】
さらにその中に形成された凹所を有する隔壁を有し、前記部材は、隔壁内に形成された凹所を介して延びる前記請求項４７記載のレセプタクル。
【請求項５０】
前記接地プレートは、導電性である前記請求項４５記載のレセプタクル。
【請求項５１】
少なくとも１つのそれから延びるねじを有するプラグと、ハウジング及び外側に沿って延びる接地バー並びに前記接地プレートを装置に接続するために前記接地プレートと一体に形成され、前記接地バーに関し前記ハウジングの中央に向かってずれている少なくとも１つの突出部を有する接地プレートと、前記接地バー内に形成された凹所内に延び、それと締まり嵌めを形成する第１遠方端、及び前記少なくとも１つのねじを受けるためにその中に形成された凹所を有する第２遠方端を有する部材とを具備する電気接続をするためのシステム。
【請求項５２】
前記部材は、前記ハウジングを介して延びている前記請求項５０記載のシステム。
【請求項５３】
さらにサブストレートを有し、前記少なくとも１つの突出部は、前記サブストレート内に形成された凹所内に延びる前記請求項５０記載のシステム。
【請求項５４】
さらに隔壁を有し、前記レセプタクルの第２遠方端は、この隔壁に当接するとともに前記レセプタクルをこの隔壁に固定する前記請求項５０記載のシステム。
【発明の詳細な説明】
【技術分野】
【０００１】
この発明は、電気コネクタに関し、特には、プラグとレセプタクルとに関する。
【０００２】
（関連出願に対するクロスリファレンス）
この出願は、２００２年５月２４日出願の米国仮特許出願６０／３８３３６６号、発明の名称「改良されたレセプタクル」、及び２００２年５月２４日出願の米国仮特許出願６０／３８３９４０号、発明の名称「改良されたプラグ」の利益を請求しており、ここにその内容は、それら全体における引用によって共用されている。
【０００３】
この出願は、２００２年５月２４日出願の米国許出願６０／３８３４０３号、発明の名称「シールドされたケーブルのためのパドルカード終端部」及び２００２年５月１０日出願の米国仮特許出願６０／３７９３５３号、発明の名称「オーバーモールドされたストレーンレリーフ及び電気」の利益を請求しており、ここにその内容はそれら全体における引用によって共用されている。
【背景技術】
【０００４】
コンピュータ処理システムのスピードと容量は、常に上昇している。さらには、コンピュータ処理システムは、ますます複雑なネットワークにおいて、相互接続されている。これらの発展の速度を維持するために、新しい、例えばインフィニバンドアーキテクチャのような相互接続システムが提案されてきている。インフィニバンドアーキテクチャは、サーバ相互接続の領域における主要な適用を有する、産業標準であり、チャネルベースの、スイッチ網、相互接続アーキテクチャである。インフィニバンドは、２．５から３０Gbit／秒の範囲の速度で信頼性ある相互接続性能を保証している。
【発明の開示】
【発明が解決しようとする課題】
【０００５】
インフィニバンド標準、及び例えば１０Gbitイーサネット（登録商標）のようなその他の類は、相互接続速度において著しい進歩を示している。これらの技術によって規定される非常に高い速度では、最高レベルの電気的性能が実際の相互接続装置を要求する。例えば、正確なインピーダンスマッチングを有する安定した接点接続部を創造することが不可欠である。同様に、電磁学的な干渉及び漏洩が、最小化されなければならない。さらに、これらの特性は、現実の環境下で機械的に操作され、一定して大量に製造することができる実際の形状において提供されなければならない。
【課題を解決するための手段】
【０００６】
改良された相互接続システムが、ここに開示される。特には、改良されたレセプタクルが、ここに開示される。
【０００７】
開示された代表的レセプタクルは、本体を有するハウジングと、プラグを受入れる接続部と、接点支持部材として参照される部材とを有する。この接点支持部材は、その中に形成された複数の軸支区域を有する。レセプタクルは、さらにハウジング内に挿入される信号接点を有する。各信号接点の一部は、信号接点の第２の部分が軸支区域の１つに当接する一方で、ハウジングを介して延び、接続部に露出される。軸支区域によって与えられた圧力は、各信号接点の少なくとも１部を強制して、垂直及び水平に整列させる。
【０００８】
シールディングシェルは、又ここにレセプタクルとプラグとの間の電気的連続性を提供するために開示されている。シールディングシェルは、金属材料から形成され、それに接続されたときに、プラグの金属ケーシングと接触するその中に形成された複数の突起を有する。複数の突起のそれぞれ少なくとも１部は、その突起の長さを横切る高さが増加する。この特徴は、シールディングシェルとプラグケーシングとの間の接触を改良する。
【０００９】
ハウジングから延びるとともにプラグにおける対応するラッチ部材と組合うためのラッチ部材、又はアームが、又開示されている。シールディングシェルは、さらにそれから延びる突起を有し、この突起は、ラッチ部材と接触しそれによってシェルとラッチ部材との間の電気的通路を提供する。
【００１０】
電気的シールディングガスケットは、レセプタクルハウジングに配置され、プラグ接続部の周囲に形成される。ガスケットは、金属フレームと、このフレームから延び、かつその間に形成されたフレームの部分を有するフレームに沿って直線的に置かれた第１の複数の金属ビームとを有する。ガスケットは、さらにフレームから延び、かつ金属フレームに沿って直線的に置かれた第２の複数の金属ビームを有する。第２の複数の金属ビームは、第１の複数の金属ビーム間のフレームの部分を橋渡しする。ガスケットは、さらにまたフレームから延びるロッキング部材を有する。このロッキング部材は、凹所内に延び、この凹所は、ラッチ部材に形成され、それによってラッチアームに関連するガスケットの動きを制限することができる。
【００１１】
開示されたレセプタクルの様相によれば、ラッチ部材は、ラッチプレートの部分として形成される。ラッチプレートは、前記ハウジングに沿って延びるラッチバーと、それから延びさらにハウジングを介して延びる第１及び第２のラッチ部材とを有する。ラッチバーは、ハウジングに挿入される信号及び接地接点に対する保護を提供する。ラッチプレートは、さらにラッチプレートを回路基板のような装置に接続するためにそれから延びる２つの突起を有する。この突起は、例えば、回路基板における接地に接続される。プラグとレセプタクルとの間はもちろん、レセプタクル内における電気的連続性は、ラッチアームを介して提供され、ラッチアームは、ラッチバー内に延び、突起を経由して接地に終端する。
【００１２】
開示された代表的レセプタクルのさらなる態様は、以下に提供される。
【発明を実施するための最良の形態】
【００１３】
代表的なレセプタクルが、付属の図面に関連して説明される。
【００１４】
上述した有益な特徴を有する代表的なプラグ及びレセプタクルは、図１から３３に関連して以下に説明される。特に、代表的なレセプタクルの新規な態様は、以下に詳細に説明される。図に関してここに与えられる記述は、図示された目的のためのみであって、可能性ある実施例の範囲を制限する意図は、いかなるものも決してない。可能性ある実施例の範囲に関する疑問は、付属の特許請求項を参照することによって解決される。
【００１５】
図１は、代表的なレセプタクル１１２との相互接続のために整列された代表的なプラグ１１０の斜視図を提供する。プラグ１１０は、ケーブル（図示せず）に組込まれた複数のワイヤのための終端点として役立つ。レセプタクル１１２は、例えば印刷回路基板のような装置に対する電気的な接続性を提供する。プラグ１１０は、図２に示されるように、レセプタクル１１２が接続される装置にプラグ１１０から連絡通路を提供するように、レセプタクル１１２に挿入される。
【００１６】
レセプタクル１１２の正面、背面、及び分解図は、それぞれ図３、４、及び５において提供される。図示されるように、レセプタクル１１２は、その中に信号接点２１２、接地接点２１４、及びラッチプレート２１６が挿入されるレセプタクルハウジング２１０を有する。金属の信号接点２１２及び接地接点２１４は、ハウジング２１０の後方側２１８からレセプタクルハウジング２１２のプラグ接続部部分２２０に延びており、摩擦結合によって決まった場所に固定される。
【００１７】
プラグ接続部部分２２０は、その中に接点２１２及び２１４が、プラグ１１０における対応する接点と組合う目的のために露出される区域を有する。レセプタクルハウジング２１０は、例えば液晶ポリマー（ＬＣＰ）のような高温熱可塑性材料から製造され、接点２１２間に電気絶縁を与えるように作用される。
【００１８】
ラッチプレート２１６は、ラッチバー２２２及びそれから延びるラッチ部材２２４を有する。ラッチ部材２２４はハウジング２１０を介して延び、外部側２２６から突出する。
【００１９】
凹所２２８は、ラッチ部材２２４に形成され、プラグ組立２１０からの対応するラッチ４２１を受けるために設計される。ラッチ部材２２４は、電気的ガスケット２３８から延びるロッキング部材２９０と相互に作用するためにその外部表面に形成される通路２２５を有する。ラッチプレート２１６及び、特に、ラッチバー２２２は、レセプタクルハウジング２１０の後方を横切って延び、意図しない取扱いから接点２１２及び２１４を保護する。一般に、ラッチプレート２１６は、例えば、冷間圧延鋼（ＣＲＳ）のような接合可能な高強度導電金属から形成され、さらに印刷回路基板のような装置の接地接点を接続するための接地突起２３０を有する。
【００２０】
シールディングシェル２３２は、プラグ接続部２２０部分の外部表面に対応するように形成され、それに嵌めあわされる。特に、シェル２３２は、ケーシング２３３を有し、このケーシング２３３は、接続部部分２２０の表面をさやに入れる。レセプタクル２３４は、シェル２３２内に形成され、ハウジング２１０に形成された突起２３６に対応する。レセプタクル２３４は、突起２３６を摩擦的に相互に作用し合い、シェル２３２をプラグ接続部部分２２０の位置に保持する。シールディングシェル２３２は、例えば、冷間圧延鋼のような押出し成形可能な導電性材料から製造される。レセプタクル１１２に対するプラグ１１０の接続時に、シールディングシェル２３２は、プラグ１１０の金属ケーシングと接触し、それによって電磁気的な干渉を（ＥＭＩ）減少する。
【００２１】
ガスケット２３８は、シールディングシェル２３２のケーシング２３３の周囲に嵌り合う。ガスケット２３８は、例えば、りん青銅のようなスプリング特性を有する導電性材料から製造される。プラグ１１０がレセプタクル１１２に挿入されるとき、ガスケット２３８から延びる金属ビームは、プラグ１１０のケーシングと重なる。ガスケット２３８は、それによってプラグ１１０及びレセプタクル１１２の間を脱出する電磁力（ＥＭＳ）を減少するように作用し、プラグ１１０及びレセプタクル１１２との間の等接地電位を維持する。
【００２２】
信号接点２１２は、プラグ１１０における対応接点を有する電気接点をつくるためのプラグ接点部分２５０と、印刷配線基板のような装置にレセプタクル１１２を電気的に接続するための尾部２５２とを有する。軸支部材２５４は、その２つの間に形成される。尾部２５２は、装置にレセプタクル１１２を接続するのを容易にするように、正確に整列される。接点２１２のきわめて精密な性質を仮定すると、製造中から電気装置に対する接続まで尾部２５２の整列を維持することは、難しい問題である。ここに開示されたレセプタクルハウジング２１０は、特に尾部２５２の望ましい整列を維持するために、特別に設計されている。
【００２３】
図６に示されるように、レセプタクルハウジング２１０は、それから延びる接続部部分２２０を有する本体２６０を具備する。接点支持部材２６２は、本体２６０から延びて、本体２６０によって接続部部分２２０から分離されている。接点支持部材２６２は、複数の接点スロット２６４、又は、接点２１２及び２１４の一部を受入れるためのエッジ２６６に形成された壁で囲まれた凹所を有する。信号接点２１２を受ける接点スロット２６４は、その中に信号接点２１２の軸支部材２５４を受入れる。図７Ａから７Ｄは、ハウジング２１０への挿入の各多様な段階における信号接点２１２を有するハウジング２１０の断面図を提供する。図示されるように、スロット２６４内に、支持整列部材２６２が、その中に支点、又は軸支点２６６を形成している。軸支点２６６において、支持整列部材２６２は、通常、鋭角を形成する。信号接点２１２がハウジング２１０に完全に挿入されると、軸支部材２５４は、軸支点２６６に当接し、この軸支点は、尾部２５２を上方に強制する。このように、軸支点２６６は、尾部２５２の垂直位置と同様に水平位置を規定するように作用する。軸支点２６６は、信号接点２１２を受ける複数のスロット２６４に形成される。図８に示されるように、ハウジング２１０に複数の信号接点２１２が挿入されたときには、尾部２５２は、水平及び垂直方向の整列に強制される。
【００２４】
図９は、シールディングシェル２３２の詳細図を提供する。図示されるように、シールディング２３２は、ケーシング２３３を有し、このケーシング２３３は、ハウジング２１０の接続部部分２２０の外部に嵌合するように形成される。シェル２３２は、さらに、ケーシング２３３と一体に形成され、組立時にハウジングの２１０の外部側２２６と当接する直立した壁２７０を有する。シェル２３２は、その中に形成された凹所２７２を形成して、ラッチ部材２２４を収容する。
【００２５】
シールディング２３２は、接点２１２及び２１４をＥＭＩからシールドし、レセプタクル１１２はプラグ１１０を受けるときにＥＭＦ漏洩を防止する。これらの機能は、レセプタクル１１２及びプラグ１１０間に電気的連続性があるときに最良に役立つ。したがって、シールディングシェル２３２とプラグ１１０のケーシングとの間に一様な、強い電気的接触を維持することが望ましい。ケーシング２３３は、その中に形成された突出部２７４を外方に有し、この一様な電気的接触を容易にする。この開示された実施例において、突出部２７４は、片持ち梁ビームの形状を有する。ケーシング２３３の外部表面からの突出部２７４の高さは、突出部２７４の長さに沿って増加する。その突出部２７４の長さを横切る高さ増加することは、公差限度及び組合う条件を通して、シェル２３２とプラグ１１０のケーシングとの間の物理的接触及び電気的連続性を維持する。図示されているように、突出部２７４は、ケーシング２３３の反対側に形成される。
【００２６】
シールディングシェル２３２は、さらに突出部２７８を有する。図１０に示されるように、レセプタクル１１２の組立時に、突出部２７８は、ラッチ部材２２４と接触する。上記したように、ラッチ部材２２４は、ラッチプレート２１６に設けられ、そのラッチプレートはさらに、接地突出部２３０を有する。したがって、突出部２７８及びラッチ部材２２４の間の接触は、接地突出部２３０を介して接地に電気通路を提供する。本当に、電気的接続性は、シェル２３２とラッチプレート２１６とを介して、プラグ１１０のケーシングから与えられる。レセプタクル１１２を介して接地に対する、プラグ１１０のケーシングとの連続的な電気的接触は、プラグ１１０及びレセプタクル１１２の間の同一接地電位を本質的に維持し、性能を大きく改良する。
【００２７】
電気的ガスケット２３８の詳細図が、図１１及び１２に提供される。図示されるように、ガスケット２３８は、フレーム２８０を有し、シェル２３２のケーシング２３３の周囲に位置されるように形成される。フレーム２８０は、フレーム２８０の外周の周りにはそれから延びる複数の弧状の金属ビームを有する。ビーム２８２は、フレーム２８０から通常、弧状の形状に延び、フレーム２８０に帰る。ビーム２８２は、例えば、ガスケットフレーム２８０の打ち出しによって形成される。ビーム２８２の第１の複数２８４は、中間的に配置されたフレーム２８０の部分２８６を有するフレーム２８０に沿って直線的に整列される。ビーム２８２の第２の複数２８８は、第１の複数２８４に接して形成される。第２の複数２８８におけるビーム２８２は、第１の複数２８４におけるビーム２８２と一部重なっており、それによって、第１の複数２８４におけるビーム間の部分２８６を橋渡ししている。ガスケット２３８が、それらに接続されたレセプタクル１１２及びプラグ１１０に適用されるときには、プラグ１１０及びレセプタクル１１２の間に最も近接した間隙が配置され、一部重なるビーム２８２は、２つの装置間の電磁力（ＥＭＦ）のために漏洩通路を最小化する。
【００２８】
ガスケット２３８は、さらに組立てられたレセプタクル１１２のガスケット２３８の移動を制限するためのロッキング部材２９０を有する。ロッキング部材２９０は、フレーム２８０から離れ、レセプタクル１１２に組立てられたときには、ラッチ部材２２４に形成された通路２２５内に延びる。ロッキング部材２９０は、通路２２５内にあり、その通路２２５の長さによって動きの自由範囲内に制限される。
【００２９】
図１３は、ラッチプレート２１６の詳細図を提供する。図示されたように、ラッチプレート２１６は、それから延びるラッチ部材２２４を有するラッチバー２２２を具備する。ラッチ部材２２４は、ハウジング２１０（図１４参照）に形成されたラッチ部材開口２９４に挿入され、ハウジング２１０の外部側２２６から延びる。ラッチ部材２２４に形成された凹所２２８は、プラグ１１０からの対応するラッチ部材を受けるとともに、２つの装置の半分を一緒に固定するよう作用する。ラッチバー２２２は、接点２１２及び２１４に対する保護を提供するように作用し、その部品がレセプタクル１１２内に組立てられたときに、ハウジング２１０の重量を平衡させる。ラッチプレート２１６は、レセプタクル１１２が取付けられる装置の接地源側と接触するように設計された接地突出部２３０を有する。例えば、接地突出部２３０は、印刷回路基板に位置された接地と接触できる。最終的に、通路２２５が、ラッチ部材２２４の外部壁に形成されてロッキング部材２９０を受ける。
【００３０】
（プラグ）
図１５は、プラグ１１０の分解図を提供する。図示されたように、プラグ１１０は、その中に信号接点４１２及び接地接点４１４が挿入されるプラグハウジング４１０を有する。接点４１２及び４１４が、それに接続される信号ワイヤ（図示せず）を有するとともに、プラグ１１０からケーブル（図示せず）に延びる印刷回路基板４１５と接続される。その中に接点４１２及び４１４を有するプラグハウジング４１０とそれに接続された回路基板４１５とは、下部ケーシング半４１７及び上部ケーシング半４１９内にカプセルに包まれる。ラッチ４２１は、ケーシング半４１７及び４１９における凹所４２３内にあり、プラグ１１２のラッチ部材２２４と組合う。固定綱部４２５は、ラッチ４２１に接続され、ラッチ４２１のラッチング部分を制御するように作用する。
【００３１】
図１６は、その中に形成された信号接点４１２及び接地接点４１４を有するプラグハウジング４１０の分離された図を提供する。図１７Ａは斜視図を提供し、図１７Ｂは接点４１２、４１４なしのハウジング４１０の正面図を提供する。図示されるように、ハウジング４１０は、それから延びる複数の突出部、又はビーム４１８を有する本体部４１６を具備する。ビーム４１８は、ビーム４１８間に形成された間隙４２２をもってその中に形成された谷部４２０を有する。本体４１６は、その谷部４２０と整列してその中に形成された複数の溝４２４を有する。信号接点４１２は、溝を介して谷部４２０内に延びている。本体は、又ビーム４２２間に形成された間隙４２２と整列するその中に形成された第２の複数の溝４２６を有する。接地接点４１４は、溝４２６を介して間隙４２２内に延びる。ハウジング４１０は、さらにそれらの遠方端４３２の近傍にビーム４１８間の間隙を橋渡しする突出部材４３０を有する。
【００３２】
図１８は、接地接点４１４の分離した図を提供する。図示されるように、接地接点は、それから延びる延長した接点区域４３６を有する本体４３４を具備する。延長された接点区域４３６は、以下に説明するように遠方端を固定するためにその中に形成されたノッチ又は凹所４３７を有する。接地接点本体４３４は、第１の表面４３８と、あご４４２と嵌り込んで、ハウジング４１０との締まり嵌めを強化する第２の表面４４０とを有する。接地接点４１４は、さらに本体４３４から延び、本体４３４によって接点区域４３６から分離される接片４４４を有する。この接片４４４は、印刷配線基板４１５をもって電気接点を形成するためにその中に形成された接点区域４４６を有する。接片４４４は、さらにその中にツール適用区域４４８を形成してある。開示された実施例において、ツール適用区域４４８は、直角に形成された２つの表面を有し、接点４１４をハウジング４１０に挿入するためのツールの適用に適している。ツール適用区域４４８の一部は、表面４３８及び４４０とほぼ整列しており、例えば、接点４１４をハウジング４１０に挿入するためのツールで圧力を与えるために適切なてこ作用点を提供する。接点４１４は、さらに延長された区域３４６及び本体４３４の側から延びる接点突出部４５０を有する。以下に詳細に説明するように、組立てられたプラグハウジング４１０において、突出部４５０は、プラグハウジング本体４１６及びビーム４１８に形成された通路内に位置する。
【００３３】
図１９は、プラグハウジング４１０の背面図を提供する。図２０は、プラグハウジング４１０の一部断面の背面図を提供する。図示されるように、本体４１６は、その中に形成されたスロット、又は通路４２６を有する。通路４２６は、本体４１６の反対側から延びるビーム４１８間に形成された間隙４２２と整列する。したがって、接地接点４１４は、通路４２６、及び、ビーム４１８間に形成された間隙４２２内に延びる延長された接点区域４３６に挿入される。通路４２６は、その中に形成され、間隙４２２に対面するビーム４１８の外側に延びる溝４６２を有する。溝４６２は、接地接点４１４から延びる突出部４５０を受入れ、それによって接地接点４１４が、挿入及びその後の間に、プラグハウジング４１０内の決まった場所に固定する。
【００３４】
図２１及び２２は、一部断面を示すビーム４１８を有するプラグハウジング４１０の正面図を提供する。図示されるように、溝４６２は、ビーム間の間隙４２２内にビーム４１８に沿って延びている。又、接地接点４１４のノッチ４３７は突出部材４３０に対応する外形を有し、それと係合するように設計される。接地接点４１４がプラグハウジングに４１０に完全に挿入されると、ノッチ４３７は突出部材４３０に係合し、それによって決まった場所に接点４１４の遠方端を固定する。
【００３５】
図２３は、一部断面のプラグハウジング４１０の背面図を提供する。図示されるように、ハウジング本体４１６は、信号接点４１２を受けるためにその中に形成された溝４２４を有する。溝４２４は、ビーム４１８及び特にビーム４１８内に形成された谷部４２０と整列している。接点４１２は、溝４２４に挿入され、谷部４２０に延びている。
【００３６】
図２４は、溝４２４のための開口の拡大図を提供する。開示された実施例において、溝４２４の開口は、４つの側面を有し、その３つはまっすぐであり、その第４は、形はアーチ状である。これらの当業者は、その他の形状を用いることができることを認識する。溝４２４の開口の形状要素は、開口内に、そして開口を介して挿入される接点４１２の部分の形状要素より大きい。例えば、溝４２４の開口の高さは、その中に挿入される接点４１４の部分のそれよりも大きい。高さの相違は、溝４２４が信号接点４１２の接触部分を摩擦的に妨害することから避ける。しかしながら、図２５及び２６に示されるように、信号接点４１２の一部分は、保持あご４６６としてここに参照され、溝４２４に対する開口よりも大きい形状の要素を有する。したがって、あご区分４６６及び接点４１２は、プラグハウジング４１０に摩擦によって固定される。
【００３７】
図２７は、プラグハウジング４１０の正面図を提供する。ビーム４１８の一部分が、谷部４２０の信号接点４１２をよりよく例証するように断面で図示されている。又、ビーム４２８から谷部４２０内に延びる突出部４７０が例証されている。図２８は、谷部４２０に完全に挿入された信号接点４１２の拡大図を提供する。図示されるように、信号接点４１２は、その中に形成された凹所、又はノッチ４７２を有する。突出部４７０は、ノッチ４７２に位置し、それによって信号接点４１２、特にその遠方端を定まった場所に固定する。
【００３８】
プラグ１１０及びレセプタクル１１２は、図２９−３４に描かれている。この特別な代表的実施例において、レセプタクル１１２は、例えばコンピュータのような電子装置の外周である隔壁５１２に対して位置する。ねじジャッキ５１６及び対応するナット５１４は、プラグ１１０及びレセプタクル１１２間の機械的な、かつ電気的な接続性を維持するために利用される。新規な接地プレート５２０が、レセプタクル１１２の固定に寄与する。
【００３９】
図２９は、レセプタクル１１２との相互接続のために整列されたプラグ１１０の前面斜視図を提供する。図示されたように、レセプタクル１１２は、当接し、隔壁５１２を介して延びる。同様にナット５１４は、隔壁５１２を介して延び、金属のような導電性材料からなる。ナット５１４は、その中にプラグ１１０から延び、又電気的に伝導する材料から製造されるねじジャッキ５１６を受けるようにされている。プラグ１１０がレセプタクル１１２と整列し、挿入されるときに、ねじジャッキ５１６は、ナット５１４に挿入され、プラグ１１０をレセプタクル１１２に固定するように作用する。ねじジャッキ５１６及びナット５１４間の電気伝導は、プラグ１１０及びレセプタクル１１２間の電気的シールディングを強化する。
【００４０】
図３０は、レセプタクル１１２の後面斜視図を提供する。図示されたように、レセプタクル１１２は、上述したように、ハウジング２１０及びシールディングシェル２３２を有する。レセプタクル１１２は、さらにその後側、すなわちハウジング２１０のシールディングシェル２３２が取付けられる前側の反対側に沿って延びる接地プレート５２０を有する。接地プレート５２０は、又印刷回路基板サブストレート５２２に設けられた凹所内に延びる。ハウジング２１０及びシールディングシェル２３２は、隔壁５１２を介して延びる。ナット５１４は、隔壁５１２、シールディングシェル２３２、及びハウジング２１０を介して延び、接地プレート５２０と接続する。
【００４１】
図３１は、図示されていないハウジング２１０を有し、かつ描かれたナット５１４の１つ及び断面で示される接地プレート５２０の一部分を有しているレセプタクル１１２の後面斜視図を提供する。図３２は、レセプタクル１１２の分解斜視図を提供する。図３１に示されるように、ナット５１４は、ねじジャッキ５１６の遠方端（図示せず）を受けるために窪んだ区域５２４を有する。窪んだ区域５２４は、ねじジャッキ５１６の遠方端の対応するらせん溝と締まり嵌めを形成するために、その中に形成されたらせん溝を有する。ナット５１４の一部分は、隔壁５１２に当接し、それによって隔壁５１２に対して圧力を供給してレセプタクル１１２を隔壁５１２に固定する。
【００４２】
ナット５１４は、さらに隔壁５１２、シールディングシェル２３２、及びハウジング２１０に形成された凹所を介して延び、接地プレート５２０と接続する延長部材５２６を有する。図示されたように、延長部材５２６の遠方端５２８は、接地プレート５２０に形成された凹所５３０内に置かれ、そして凹所５３０内に対応するらせん溝と締まり嵌めを形成するためにそれに形成されたらせん形の溝を有する。
【００４３】
接地プレート５２０は、回路基板サブストレート５２２内に延び、かつ固定され、接地源側に対して電気的接続性を提供する。ナット５１４は、延長部材５２６を含んで、接地プレート５２０であるように電気的に伝導する。したがって、ナット５１４及び接地プレート５２０間の物理的接触は、サブストレート５２２を介して接近された接地側に対して電気的接続性を提供する。さらには、ナット５１４が隔壁５１２と当接し、サブストレート５３２に位置される接地プレート５２０と接続する結果として、レセプタクル１１２は、しっかりと配置され、他の様態でレセプタクル１１２及びサブストレート５３２間の電気的接続を妨げる力に対して、より影響されにくい。
【００４４】
図３３は、接地プレート５２０の前面斜視図を提供する。接地プレート５２０は、
接地バー５４０及び接地突出部５４２を有する。接地バー５４０は、延長部材５２６の遠方端５２８を受けるために接地バー５４０に対称的に分配されるその中に形成された２つの凹所５３０を有する。接地突出部５４２は、印刷回路基板サブストレート５２２に形成された凹所５４４に延長する。凹所５４４は、好ましくは接地側に対する通路を提供する。図示されるように、突出部５４２は、ハウジング２１０の前部及びレセプタクル１１２の前方にずれており、接地バー５４０からは離れている。換言すれば、突出部５４２は、接地バー５４０に関して、ハウジング２１０の中央及びレセプタクル１１２に対してずれている。このずれの結果として、レセプタクル１１２がサブストレート５２２に取付けられるときに、突出部５４２は、レセプタクル１１２の安定を強化するレセプタクル１１２の重心に近接して位置される。認識されるべきように、２つの突出部５４２が図示されているが、接地プレート５２０は、あらゆる数の突出部を有することができる。一般的に、接地プレート５２０は、例えば、冷間圧延鋼（ＣＲＳ）のような、接合し得る、強度導電性金属で形成される。
【００４５】
このように、代表的なプラグ及びレセプタクルが、開示されてきた。この代表的な装置は、電気的性能を最高に活用し、首尾一貫して、実用的に製造できるように特別に設計された。この代表的な実施例によるプラグ及びレセプタクルは、インフィニバンド接続システムにおける使用には理想的であるが、他のアーキテクチャ又は標準でも同様に使用できる。
【００４６】
その精神や重要な特性から逸脱することなく上述の実施例についての変更が可能である。例えば、プラグハウジングを介して形成される溝の形状は、上述のそれと異なることが可能である。同様に、その内容は、ここに例証された以外の形状に形成することができる。また多数の変形が、開示された実施例には可能である。したがって、この発明は、あらゆる単一の実施例に限定されるものではなく、付属の特許請求項の引用にしたがって広がりと範囲内で解釈されるべきものである。
【図面の簡単な説明】
【００４７】
【図１】代表的なレセプタクル有する相互接続のために整列された代表的プラグの斜視図。
【図２】代表的なレセプタクルと相互接続された代表的プラグの斜視図。
【図３】代表的なレセプタクルの前面斜視図。
【図４】代表的なレセプタクルの後面斜視図。
【図５】代表的なレセプタクルの分解図。
【図６】代表的なレセプタクルハウジングの背面図。
【図７Ａ】代表的なレセプタクルハウジングへの挿入の多様な段階の１つの信号接点を示す図。
【図７Ｂ】代表的なレセプタクルハウジングへの挿入の多様な段階の１つの信号接点を示す図。
【図７Ｃ】代表的なレセプタクルハウジングへの挿入の多様な段階の１つの信号接点を示す図。
【図７Ｄ】代表的なレセプタクルハウジングへの挿入の多様な段階の他の１つの信号接点を示す図。
【図８】組立てられた代表的なレセプタクルの底部後面を示す図。
【図９】代表的なシールディングシェルの詳細図。
【図１０】ラッチ部材と接触する代表的なシールディングシェルの前面斜視図。
【図１１】代表的な電気的シールディングガスケットの斜視図。
【図１２】電気的シールディングガスケット及びラッチ部材の凹所の相互作用を図示する組立てられた代表的なレセプタクルの前面詳細図。
【図１３】代表的なラッチプレートの分離された図。
【図１４】それに取付けられたラッチプレートなしの代表的なレセプタクルハウジングの背面図。
【図１５】分解された代表的なプラグの斜視図。
【図１６】その中に接点を有する代表的なプラグハウジングの前面斜視図。
【図１７Ａ】接点を取り除かれた、代表的なプラグハウジングの前面斜視図。
【図１７Ｂ】接点を取り除かれた、代表的なハウジングの正面図。
【図１８】代表的なプラグハウジングにおいて使用する代表的な接地接点の分離された図。
【図１９】挿入のために整列された代表的な接地接点を有する代表的なプラグハウジングの後面斜視図。
【図２０】挿入のために整列された代表的な接地接点を有する代表的なプラグハウジングの一部断面の後面斜視図。
【図２１】それに部分的に挿入された代表的な接地接点を有する代表的なプラグハウジングの一部断面の前面斜視図。
【図２２】それに部分的に挿入された代表的な接地接点を有する代表的なプラグハウジングの一部断面の詳細な前面斜視図。
【図２３】挿入のために整列された代表的な信号接点を有する代表的なプラグハウジングの一部断面の後面斜視図。
【図２４】代表的なプラグハウジングへの挿入のために整列された信号接点の一部断面の詳細な後面斜視図。
【図２５】それに挿入された信号接点を有する代表的なプラグハウジングの一部断面の後面斜視図。
【図２６】代表的なプラグハウジングに完全に挿入された信号接点の一部断面の詳細な後面斜視図。
【図２７】代表的なプラグハウジングに部分的に挿入された信号接点の一部断面の前面斜視図。
【図２８】代表的なビームに形成された谷部に挿入された信号接点の詳細な斜視図。
【図２９】代表的なレセプタクルとの相互接続のために整列された代表的なプラグの前面斜視図。
【図３０】代表的なレセプタクルの後面斜視図。
【図３１】代表的なレセプタクルの部分断面後面斜視図。
【図３２】代表的なレセプタクルの分解斜視図。
【図３３】代表的な接地プレートの前面斜視図。
【図１】
2005527959.tif 000003
【図２】
2005527959.tif 000004
【図３】
2005527959.tif 000005
【図４】
2005527959.tif 000006
【図５】
2005527959.tif 000007
【図６】
2005527959.tif 000008
【図７Ａ】
2005527959.tif 000009
【図７Ｂ】
2005527959.tif 000010
【図７Ｃ】
2005527959.tif 000011
【図７Ｄ】
2005527959.tif 000012
【図８】
2005527959.tif 000013
【図９】
2005527959.tif 000014
【図１０】
2005527959.tif 000015
【図１１】
2005527959.tif 000016
【図１２】
2005527959.tif 000017
【図１３】
2005527959.tif 000018
【図１４】
2005527959.tif 000019
【図１５】
2005527959.tif 000020
【図１６】
2005527959.tif 000021
【図１７Ａ】
2005527959.tif 000022
【図１７Ｂ】
2005527959.tif 000023
【図１８】
2005527959.tif 000024
【図１９】
2005527959.tif 000025
【図２０】
2005527959.tif 000026
【図２１】
2005527959.tif 000027
【図２２】
2005527959.tif 000028
【図２３】
2005527959.tif 000029
【図２４】
2005527959.tif 000030
【図２５】
2005527959.tif 000031
【図２６】
2005527959.tif 000032
【図２７】
2005527959.tif 000033
【図２８】
2005527959.tif 000034
【図２９】
2005527959.tif 000035
【図３０】
2005527959.tif 000036
【図３１】
2005527959.tif 000037
【図３２】
2005527959.tif 000038
【図３３】
2005527959.tif 000039
【国際調査報告】
2005527959.tif 000040